(57)【要約】【課題】鼻当てを上下させることで眼鏡枠を上下させ、遠用・近用のどのレンズ部を使用する場合でも使用レンズが適正高さになるようにした多焦点用眼鏡枠において、鼻当ての上下動を確実なものにする。【解決手段】左右の眼鏡枠１０の各内側に保持片１３をそれぞれ取り付け、各保持片１３にはそれぞれくぼみ１４を設けて磁石１５も埋め込んでいる。摺動片１６は門状のものとし、左右の支持棒１９をくぼみ１４にそれぞれはめている。上部両端に磁石２０をそれぞれ埋め込んでいる。図１は眼鏡枠１０に対して摺動片１６が下降し、鼻当てが下降した状態を示している。各磁石１５と各磁石２０とが吸着し合っていることで摺動片１６を下降位置で保持している。両眼鏡枠１０を押し下げると、眼鏡枠１０に対し摺動片１６が上昇し二点鎖線で示す状態になる。連結棒１７が中央連結片１１の突起１２の山を乗り越え、上昇位置を維持する。【選択図】        図１
2005010707.tif 000002
【特許請求の範囲】
【請求項１】
左右の眼鏡枠（１０）の各内側を中央連結片（１１）で連結して両眼鏡枠（１０）の各内側に保持片（１３）をそれぞれ取り付け、そして平行に配置した左右の支持棒（１９）の下端側にそれぞれ鼻当てを取り付けるようにして上端側を連結した摺動片（１６）を用意し、前記両保持片（１３）に対して両支持棒（１９）が上下に移動できるようにガイドするガイド手段を両保持片（１３）側にそれぞれ設け、それらガイド手段を介して両支持棒（１９）を両保持片（１３）にそれぞれ取り付け、両眼鏡枠（１０）に対し摺動片（１６）を下降させたときに互いに吸着し合う磁石（１５）及び磁石（２０）を両保持片（１３）側と摺動片（１６）側とに対向させてそれぞれ設け、更に両眼鏡枠（１０）に対し摺動片（１６）を上昇させたときに摺動片（１６）を上昇位置で係止する係止手段を眼鏡枠（１０）側と摺動片（１６）側との間に設けた多焦点用眼鏡枠。
【請求項２】
両眼鏡枠（１０）に対し摺動片（１６）を上昇させたときに摺動片（１６）を上昇位置で係止する係止手段が、摺動片（１６）側に設けた磁石（２０）と対向する位置において磁石（２０）と互いに吸着し合う磁石（２４）を両眼鏡枠（１０）側に設け、摺動片（１６）を上昇させたときに摺動片（１６）側の磁石（２０）と両眼鏡枠（１０）側の磁石（２４）が吸着し合うようにしたものであることを特徴とする、請求項１記載の多焦点用眼鏡枠。
【発明の詳細な説明】
【０００１】
【発明の属する技術分野】
本発明は、遠近両用レンズをはめ込むものであって、鼻当てを上下させることで眼鏡枠を上下させ、遠用・近用のどのレンズ部を使用する場合でも使用レンズ部が適正高さになるようにした多焦点用眼鏡枠に関するものである。
【０００２】
【従来の技術】
本発明の発明者は眼鏡枠を上下させる多焦点用眼鏡枠を考案し、実用新案権も取得している（特許文献１参照）。このものは、左右の眼鏡枠の各内側に保持片をそれぞれ取り付け、そしてほぼ平行に配置した左右の支持棒の下端側に鼻当てをそれぞれ取り付けて両支持棒の上端側は一本の棒で連結した摺動片を用意し、前記両保持片に対して両支持棒が上下に移動できしかも両支持棒が下降するときには上昇時より両鼻当ての間隔がやや広がるようにガイドするガイド手段を両保持片と両支持棒との間にそれぞれ設け、それらガイド手段を介して両支持棒を両保持片にそれぞれ取り付けた多焦点用眼鏡枠である。摺動片を上下させることで鼻当てを上下させ、眼鏡枠を上下させるものである。そして、両支持棒には外側へ広がる方向の弾力を持たせ、しかも鼻当てを上昇させたときは両鼻当ての間隔が狭まって下降させたときには両鼻当ての間隔がやや広がるようにしている。両支持棒を下降させるときには、弾力のために勢いよく下降する。
【０００３】
【特許文献１】
実公平３−２８９２号公報
【０００４】
【発明が解決しようとする課題】
前記従来の多焦点用眼鏡枠は株式会社和真で製品化し販売を続けているが、一般消費者の好評を得て良く売れ続けている。しかし、次のような欠点を持っている。すなわち、両支持棒に外側へ広がる方向の弾力を持たせ、この弾力を利用して上昇位置での係止を安定させしかも下降操作時にはすばやく確実に下降するようにしている。ところが、この弾力が強すぎると操作が固くなり、弱すぎると上昇位置での係止が不安定となって下降操作時の下降もすばやく確実にとはいかなくなる。そして、製品には形状等のばらつきがあって適正弾力に調整する必要があるが、この調整は大変難しく時間が掛って熟練も必要となる。販売時に適正弾力に調整していても、時間が経てば弱まって再調整が必要となることもあるし新しいものと取り替えなければならないこともある。また、この従来のものにおいては両鼻当てを下降させたときに両鼻当ての間隔がやや広がるようにしているため、広がる分だけ眼鏡枠の上下量が鼻当てや摺動片の上下量より小さくなる。両鼻当ての間隔が広がると鼻当ての鼻への当接面が下がるからである。そこで、眼鏡枠の上下量を十分なものとするには摺動片を大きく上下させるようにする必要がある。しかし、摺動片の上下量を大きく取ることはデザイン的に好ましくない。
【０００５】
本発明が解決しようとする課題は、弾力調整をする必要がなく、磁石の吸着力により上下作動も確実に行うことができ、更に摺動片の上下量を小さく押えながら眼鏡枠の上下量を十分なものとした多焦点用眼鏡枠を提供する点にある。
【０００６】
【課題を解決するための手段】
請求項１に係る多焦点用眼鏡枠は、左右の眼鏡枠１０の各内側を中央連結片１１で連結して両眼鏡枠１０の各内側に保持片１３をそれぞれ取り付け、そして平行に配置した左右の支持棒１９の下端側にそれぞれ鼻当てを取り付けるようにして上端側を連結した摺動片１６を用意し、前記両保持片１３に対して両支持棒１９が上下に移動できるようにガイドするガイド手段を両保持片１３側にそれぞれ設け、それらガイド手段を介して両支持棒１９を両保持片１３にそれぞれ取り付け、両眼鏡枠１０に対し摺動片１６を下降させたときに互いに吸着し合う磁石１５及び磁石２０を両保持片１３側と摺動片１６側とに対向させてそれぞれ設け、更に両眼鏡枠１０に対し摺動片１６を上昇させたときに摺動片１６を上昇位置で係止する係止手段を眼鏡枠１０側と摺動片１６側との間に設けたものである。
【０００７】
請求項２に係る多焦点用眼鏡枠は、請求項１記載のものにおいて、両眼鏡枠１０に対し摺動片１６を上昇させたときに摺動片１６を上昇位置で係止する係止手段が、摺動片１６側に設けた磁石２０と対向する位置において磁石２０と互いに吸着し合う磁石２４を両眼鏡枠１０側に設け、摺動片１６を上昇させたときに摺動片１６側の磁石２０と両眼鏡枠１０側の磁石２４とが吸着し合うようにしたものであることを特徴とするものである。
【０００８】
両眼鏡枠１０に対し摺動片１６を下降させたときには両保持片１３の磁石１５と摺動片１６の磁石２０とが吸着し合うことで摺動片１６が安定良く下降位置を維持する。摺動片１６を上昇させたときには、摺動片１６を上昇位置で係止する係止手段によって摺動片１６を係止することで上方位置を安定良く維持する。
【０００９】
両眼鏡枠１０に対し摺動片１６を上昇させたときに摺動片１６を上昇位置で係止する係止手段としては、実施例のところで紹介するような突起・グリップ・磁石を利用したものとしてもよいし、その他のものとしてもよい。
【００１０】
【実施例】
実施例１
実施例１を図１に基づいて説明する。図１は実施例１を示す斜視図及び要部断面図である。１０は左右の眼鏡枠を示している。左右の眼鏡枠１０の各内側やや上部を中央連結片１１で連結している。中央連結片１１の中央には表面を湾曲面とした突起１２を設けている。中央連結片１１のやや下方の位置において各眼鏡枠１０の各内側に、保持片１３を垂直方向にそれぞれ取り付けている。各保持片１３には、眼鏡枠１０寄りの位置に垂直方向に断面Ｕ字形のくぼみ１４を内側から外側へ向けてそれぞれ設け、各くぼみ１４と平行にして垂直方向に磁石１５をそれぞれ埋め込んでいる。
【００１１】
別体の摺動片１６を用意している。摺動片１６は、水平の連結棒１７と連結棒１７の両端にそれぞれ取り付けた板状の端片１８と両端片１８から垂直下方へそれぞれ伸びる支持棒１９とからなる門状のものとしている。左右の支持棒１９は左右の保持片１３のくぼみ１４にちょうどはまる断面形状のものとし、くぼみ１４にそれぞれはめている。そして、両端片１８には両保持片１３の磁石１５にそれぞれ対向する位置において磁石２０をそれぞれ埋め込んでいる。磁石１５と磁石２０とは互いに吸着し合うものとしている。両支持棒１９の下方部分はいったん上方へ折り返した後に再び下方へ折り返し、両下端に取付片２１をそれぞれ取り付けている。取付片２１に鼻当てをそれぞれ取り付ける。
【００１２】
図１は眼鏡枠１０に対して摺動片１６が下降し、鼻当てが下降した状態を示している。両保持片１３の各磁石１５と両端片１８の各磁石２０とが吸着し合っていることで摺動片１６を下降位置で安定よく保持している。この状態で眼鏡を装用すると、眼鏡枠１０は上方位置に保持され、近用視の状態になる。図１の状態で両眼鏡枠１０を押し下げると、眼鏡枠１０に対し摺動片１６が上昇し二点鎖線で示す状態になる。連結棒１７が中央連結片１１の突起１２の山を乗り越え、上昇位置を維持する。この状態で装用するとレンズ上方の遠用レンズ部が視線の中央に来て遠用視の状態になる。再び近用視の状態にするには、眼鏡枠１０を持ち上げ鼻当てをまゆ毛の生え際辺りに押し付ける。眼鏡枠１０に対し摺動片１６が下降し図１に実線で示す状態になる。
【００１３】
なお、中央連結片１１には突起１２でなく図１右側下部に示すようなグリップ２２を設け、摺動片１６の上昇時には連結棒１７をグリップ２２でグリップさせるようにしてもよい。
【００１４】
実施例２
実施例２を図２に基づいて説明する。中央連結片１１には突起１２を設けずに弓なりに湾曲するアーム２３を中央連結片１１に沿わせて取り付けている。そして、摺動片１６の両磁石２０にそれぞれ対向する位置においてアーム２３に磁石２４をそれぞれ取り付けている。磁石２０・磁石２４は互いに吸着し合うものである。眼鏡枠１０に対し摺動片１６を上昇させたときは磁石２０・磁石２４が吸着し合うことで摺動片１６の上昇位置を維持するようにしている。その他の構成は実施例１と同じである。
【００１５】
【発明の効果】
本発明に係る多焦点用眼鏡枠においては、摺動片１６に弾力を持たせていないため面倒な弾力調整をする必要がない。また、弾力を利用せず磁石を利用しているため、上下作動は確実で安定し経年変化もない。更に、眼鏡枠１０の上下量は摺動片１６の上下量に見合うものである。
【図面の簡単な説明】
【図１】実施例１を示す斜視図及び要部断面図である。
【図２】実施例２を示す斜視図である。
【符号の説明】
１０  眼鏡枠
１１  中央連結片
１２  突起
１３  保持片
１４  くぼみ
１５  磁石
１６  摺動片
１７  連結片
１８  端片
１９  支持棒
２０  磁石
２１  取付片
２２  グリップ
２３  アーム
２４  磁石
【図１】
2005010707.tif 000003
【図２】
2005010707.tif 000004